(57)【特許請求の範囲】
【請求項１】
海底もしくは養魚場などの池底に沈設される基盤に、少なくとも表面が炭化せしめられた天然繊維の複数本を撚纏等して太さ３〜２０ｍｍで長さ２０〜１５０ｃｍと成した紐状体を適宜の間隔を隔てて立ち姿勢になるように植設して成る擬似藻場の造成基体を、前記紐状体が海中もしくは水中に林立して漂うように海底もしくは池底に沈設し、前記紐状体によって微生物の誘引・増殖を促進させて小動物や幼稚魚の餌にすると共に海水や真水の浄化を行うことを特徴とする疑似藻場造成方法。
【請求項２】
前記紐状体が、少なくとも表面が炭化せしめられた天然繊維の孔隙に、無機微粒子を導入して成ることを特徴とする請求項１に記載された疑似藻場造成方法。
【請求項３】
前記紐状体が、無機微粒子に有機官能基を導入するためのカップリング剤を結合させて成る請求項２に記載された疑似藻場造成方法。
【発明の詳細な説明】
【０００１】
【発明の属する技術分野】
本発明は、海底もしくは養魚場などの池底の環境改善を図るための疑似藻場の造成基体を用いた擬似藻場造成方法に関する。
【０００２】
【従来の技術】
近年、我が国では、漁業資源の枯渇が心配されており、この原因の一つとして日本近海における藻場の急激な減少が挙げられている。
【０００３】
即ち、浅場の沿岸海域で生育するアマモは、アマモ場といわれる特有の藻場を形成し、幼稚魚はもとより成魚の格好の生育場となることから、このアマモの保存ならびに造成が試みられているのであるが、沿岸域の埋め立てや富栄養化物質による海域の汚染に起因して、これまで幼稚魚や成魚の生育に大きな貢献をしていたアマモ場が急激に縮小あるいは消滅し、近年の沿岸漁獲量の低下は、このアマモ場の減少が原因であるとされているのである。
【０００４】
【発明が解決しようとする課題】
この改善のために、アマモ場を積極的に人工造成する試みも実施されてはいるが、海域汚染が深刻であるために、人工的に造成したアマモの定着率が十分でなく、また、広範囲にアマモ場を造成するためのアマモ種子の入手も困難である上に、この種子が生長して、アマモ場として機能するまでには長期間を要するもので、いずれにしても早急な海底環境の改善には十分とは言えないのであった。
【０００５】
また、海域汚染の回復についても、鋭意研究ならびに工夫が実施されてはいるものの、進展は遅く、生態系の破壊が進行しているのが現状である。
【０００６】
これらは海域だけでの問題ではなく、例えば養魚場などにおいても、水質汚染が原因で藻場がダメージを受けて、幼稚魚の餌場や住処が減少したり、異常にアオミドロなどが発生したりする問題があった。
【０００７】
本発明は、天然繊維、特にヤシ繊維が、海水中や真水中での微生物の誘因及び増殖を促進するとの知見に基づいて成されたものであって、更に、このヤシ繊維等の天然繊維の表面を炭化することにより、よりその効果が一層優れるという新規な知見に基づいて成されたものであって、その目的は、海底もしくは養魚場などの池底に沈設後、直ちに藻場機能が発揮されると共に、更に水質汚染の回復にも寄与し得る疑似藻場の造成方法を提供する点にある。
【０００８】
即ち、本発明による疑似藻場造成方法は、海底もしくは養魚場などの池底に沈設される基盤に、少なくとも表面が炭化せしめられた天然繊維の複数本を撚纏等して太さ３〜２０ｍｍで長さ２０〜１５０ｃｍと成した紐状体を適宜の間隔を隔てて立設して成る擬似藻場の造成基体を、前記紐状体が海中もしくは水中に林立して漂うように海底もしくは池底に沈設し、前記紐状体によって微生物の誘引・増殖を促進させて小動物や幼稚魚の餌にすると共に海水や真水の浄化を行うことに特徴がある（請求項１）。天然繊維としては、例えばヤシ、ジュウト、綿、麻、ビンロウジュ、羊毛、絹等が選択され、これらは年月を経て生分解し、自然消滅するので、公害問題を生じることはない。
【０００９】
上記構成の造成基体を、例えば海底に沈設すると、この基体に備えた少なくとも表面が炭化せしめられた天然繊維の紐状体がアマモの如く海中に漂って存するようになる。従って、上記構成の造成基体を単に海底に沈設するだけで、海底には、アマモ場に疑似の藻場が直ちに形成されるのであって、これが幼稚魚の住処・拠り所となり、延いては、幼稚魚を餌にする魚類の餌場や産卵場となる。更に、少なくとも表面が炭化せしめられた天然繊維は海水或いは水中の微生物の誘引・増殖を促進し、小動物や幼稚魚の餌となると共に、微生物の繁殖により、富栄養化物質を消化し、海水や真水の浄化をする効果がある。
【００１０】
一方、少なくとも表面が炭化された天然繊維自体が微生物との親和性が高いことに加えて、炭化された天然繊維が微生物親和性を更に増強するように、炭化された天然繊維の表面や孔隙に無機微粒子を導入した（請求項２）ことで、本発明による疑似の藻場には、海水中の微生物が多数集積して棲息するようになる。
【００１１】
この微生物は、小動物や幼稚魚にとって格好の食餌であることから、これを狙って小動物や幼稚魚が疑似藻場に集まるようになり、更に、この小動物や幼稚魚を餌とする成魚が集まって、所謂食物連鎖が惹起されることで、上記の疑似藻場が良好な漁場を造成することになる。
【００１２】
加えて、疑似藻場に集積した多数の微生物は、これが海水中の富栄養化物質を大量に消費して、水質を浄化するのであって、赤潮の発生を抑制したり、海域の環境改善に役立ったりする。
【００１３】
即ち、無機微粒子としては、例えばＣａ、Ｍｇ、Ａｌ、Ｆｅ、Ｓｉ、Ｔｉ等を主成分とする天然又は合成の酸化物、水酸化物、炭酸塩又はそれらの複合酸化物、複合炭酸塩及びそれらの有機金属化合物の少なくとも一種が選択される。
【００１４】
具体的には、酸化物として、例えばＣａＯ、ＭｇＯ、ＦｅＯ、Ｆｅ2Ｏ3、Ｆｅ3Ｏ4、Ａｌ2Ｏ3、ＳｉＯ2、ＴｉＯ2などが選択され、水酸化物としては、Ｃａ（ＯＨ）2、Ｍｇ（ＯＨ）2、Ｆｅ（ＯＨ）2、Ａｌ（ＯＨ）2などが選択される。
【００１５】
炭酸塩としては、ＣａＣＯ3、ＭｇＣＯ3などが選択され、複合酸化物としては、ＭｇＳｉＯ4、Ｃａ2ＳｉＯ4、ＣａＴｉＯ3、Ａｌ2Ｏ3などが選択され、複合炭酸塩としては、例えばＣａＭｇ（ＣＯ3）2が選択され、有機金属化合物としては、トリアルコキシアルミニウム、テトラアルコキシシラン、テトラエトキシシラン、テトラアルコキシチタンなどが選択される。
【００１６】
これらは何れも、少なくとも表面が炭化された天然繊維の微生物との親和性を増強し、海水中の微生物を多数集積するのであって、例えば水酸化物としてＣａ（ＯＨ）2を導入すれば、表面が炭化せしめられた天然繊維に集積した多数の微生物が、海水中の富栄養化物質である窒素やりん、珪素等を大量に消費し、かつ、Ｃａ（ＯＨ）2自体も海水中のりんと反応して、りんを除去するのであって、この水質浄化によって、赤潮の発生が抑制され、海域の環境改善も成されるのである。
【００１７】
上記の藻場による漁場の造成ならびに水質浄化による環境改善は、養魚場などにおいても同様に達成されることに変わりはない。
【００１８】
好ましくは、微生物の親和性を更に高めるために、無機微粒子に有機官能基を導入するためのカップリング剤を結合させることである（請求項３）。
【００１９】
カップリング剤としては、例えばＮ−フェニル−γ−アミノプロピルトリメトキシシランや、Ｎ−β（アミノエチル）γ−アミノプロピルトリメトキシシランと言ったシラン系のものや、イソプロピルトリ（ｎ−アミノエチル−アミノエチル）チタネートと言ったチタネート系のもの、その他、アルミニウム系、フォスフェート系のものが選択され、これらのカップリング剤は、繊維表面に導入した無機微粒子と結合し、繊維表面に有機官能基を導入するもので、カップリング剤の選択によって、繊維表面に様々な有機官能基を導入させることができる。
【００２０】
有機官能基としては、ビニル基、グリシドキシ基、アミノ基、カルボキシル基、メルカプト基、アルキル基、エステル基等があり、これらのうち、微生物の生息に適した官能基を選択することは容易に可能であって、どのようなカップリング剤を用いても、繊維表面に微生物が集まりやすい状態、即ち、微生物親和性の状態を作ることができるのであって、微生物の集積能力ならびに水質の浄化能力が飛躍的にアップすることから、上記した疑似藻場による漁場の造成にとって、無機微粒子にカップリング剤を結合させることは極めて好適である。
【００２１】
【発明の実施の形態】
以下、本発明の実施の形態を図面に基づいて説明すると、図１は疑似藻場の造成基体１を海底に沈設した状態を示し、この疑似藻場の造成基体１は、海底に沈設される基盤２に、表面が炭化された天然繊維による紐状体３を適宜の間隔を隔てて立設して成る。
【００２２】
天然繊維の表面を炭化するには、例えば、天然繊維を濃硫酸中をくぐらせた後、風乾させたり、繊維を１〜１０Ｖｏｌ％の硫酸に５分程度浸漬した後取り出し、１１０℃で１時間乾燥するなどの方法で、繊維表面が薄く炭化して炭化層Ｔを形成する。天然繊維は、全体を炭化することもあり、天然繊維を３００〜８００℃の温度で炭化し、この炭化物を細長い袋体に充填し、上記の表面を炭化した天然繊維と同様に紐状として造成基体１にとりつけるのである。このように炭化した天然繊維は、その表面構造がより複雑な形状を呈することで、微生物親和性が増大し、多様な微生物の棲息環境を提供することができる。取扱いの容易さから言えば、表面を薄く炭化した天然繊維がそのまま繊維状の形態を失わないために、有効である。以下炭化の形態を総称して炭化天然繊維aとして説明する。
【００２３】
更に詳しくは、図２に示すように、表面が炭化された天然繊維（この実施の形態では、一部の顕微鏡写真を図面化して示すように、ヤシ繊維を選択しており、このヤシ繊維は、その表面に歪で複雑な形状の筋状の凹溝ｂを多数有する上に、複雑な形状の大小様々な窪みｃを有するもので、接水面積は極めて大である。Ｔは表面炭化層を示す。）ａの表面に、例えばシリカ系の無機微粒子ｄを導入し、更に、無機微粒子ｄに有機官能基を導入するために、無機微粒子ｄにシラン系のカップリング剤ｅを共有結合させて、繊維表面の改質調製を行っている。
【００２４】
そして、この表面が炭化された天然繊維ａの複数本を撚纏等して、太さが３〜２０ｍｍで長さが２０〜１５０ｃｍの紐状体３と成し、これを立ち姿勢になるように、例えばコンクリート製の基盤２に所定の間隔を隔てて植設している。
【００２５】
紐状体３の植設間隔は、３〜１０ｃｍ間隔など任意であって、その任意の間隔に、上記の紐状体３を１本ずつや例えば３〜７本などを束にして、これを例えば耐塩性の接着剤を用いて基盤２に植設したり、図示するように、紐状体３を繊維糸条５等を用いて針金等の芯材４に縛って、これを基盤２に植設したりするのである。
【００２６】
この際、紐状体３を海水中に林立させることが、藻場の造成にとって有効であることから、この実施の形態では、紐状体３の腰を強くする撚纏の手段をとっているが、これに代えて、紐状体３に針金等の芯材を挿入したり、紐状体３の頂部付近に浮子を取り付けたりして、海流等によって紐状体３が容易に倒伏しないようにしてもよい。
【００２７】
上記構成の造成基体１を海底に沈設すると、この基体１に備えた炭化天然繊維ａの紐状体３がアマモの如く海中に林立して漂うことから、海底には、基体１の沈設後、直ちにアマモ場に疑似の藻場が形成されるのであって、これは幼稚魚の住処・拠り所となり、延いては、幼稚魚を餌にする魚類の餌場や産卵場となる。
【００２８】
一方、複雑な表面形状を呈して微生物との親和性が高い炭化天然繊維ａに、無機微粒子ｄを導入して、炭化天然繊維ａの微生物親和性を更に増強したことで、この炭化天然繊維ａによる上記の疑似藻場には、海水中の大量の微生物が集積して棲息するようになる。
【００２９】
即ち、無機微粒子ｄとして、例えばＣａもしくはＣａ系化合物例えば、Ｃａ（ＯＨ）2の０．１６％溶液に、天然繊維ａまたは紐状体３を３時間程度浸漬させ、これを引き上げて乾燥させた後に前記段落００２２で示したような炭化処理を行う。このようにすると、繊維表面や繊維の孔隙に、ヤシ繊維重量の３〜４％のＣａ（ＯＨ）2を導入することができたのであり、このＣａ導入の繊維は、繊維自体よりも５倍程度の微生物の集積が見られる。
【００３０】
これに加えて、炭化せしめられた繊維表面の無機微粒子ｄにカップリング剤ｅを結合させて、繊維表面に有機官能基を導入させているので、かつ、有機官能基として、微生物の生息に適したものを選択（この実施の形態では、繊維表面にシリカ系の無機微粒子ｄを導入し、この無機微粒子ｄにシラン系のカップリング剤ｅを共有結合させている。）することが容易に可能であることから、繊維表面には、微生物にとって一層好適な生息環境が形成されることになる。
【００３１】
従って、この大量の微生物を格好の食餌にして小動物や幼稚魚が集まり、これを狙って成魚が集まることで、上記の疑似藻場では、所謂食物連鎖が惹起されるようになり、ここに良好な漁場が人工的に造成されることになる。
【００３２】
更には、アマモ場に疑似の藻場に集積した多数の微生物は、これが海水中の富栄養化物質を大量に消費して、水質を浄化するのであって、赤潮の発生を抑制したり、海域の環境改善に役立ったりする。
【００３３】
即ち、無機微粒子ｄとしては、Ｃａ、Ｍｇ、Ａｌ、Ｆｅ、Ｓｉ、Ｔｉ等を主成分とする天然又は合成の酸化物、水酸化物、炭酸塩又はそれらの複合酸化物、複合炭酸塩及びそれらの有機金属化合物の少なくとも一種が選択されるが、例えばＣａ、Ｍｇ、Ａｌ、Ｆｅ系のものを選択すれば、流水中のリン酸や窒素が無機微粒子ｄに捕捉されることで、リン濃度や窒素濃度を下げることができる。
【００３４】
中でも、Ｃａ（ＯＨ）2は海水中のりんを反応除去するのであって、これらによる水質浄化によって、赤潮の発生が抑制され、海域の環境改善も成されるのであって、上記のアマモ場に疑似の藻場は、益々良好な漁場機能を発揮するのである。
【００３５】
尚、炭化天然繊維ａとして、この実施の形態ではヤシ繊維を選択しているが、その他、ジュウト、綿、麻、ビンロウジュ、羊毛、絹等を選択でき、これらの炭化天然繊維ａによる紐状体３が比較的短い場合は、図３に示すように、例えば支柱６の上下方向に所定の間隔を隔てて、多数の紐状体３を取り付けて、この支柱６を適宜の間隔で基盤２に立設することで、紐状体３が比的短くとも、これを用いて背の高い疑似藻場を形成することができる。
【００３６】
別の実施の形態による疑似藻場の造成基体１を図４に示している。この実施の形態による疑似藻場の造成基体１は、コンクリート製の基盤２にアイボルト７を設けて、このアイボルト７にフロート８を備えた網状体９を取り付ける一方、表面に無機微粒子ｄを導入し、かつ、無機微粒子ｄにカップリング剤ｅを結合させた炭化天然繊維ａによる紐状体３を、網状体９の糸条９ａに備えて成るもので、かゝる構成によれば、紐状体３が海水中で漂うことに加えて、紐状体３の全体がフロート８の遊動に伴って揺らぐことから、アマモ場に疑似の藻場を、実質的に上下方向で長大なものに形成できる。
【００３７】
尚、上記の各実施の形態では、基盤２をコンクリート製にしているが、鋼材を井桁状に組み合わせたり、エキスパンドメタルをカゴ状や筒状に加工した金属製のものにしてもよく、これらは重力物であることから、海底での安定のためには有効であるが、一定の期間を経過すると自然に消失するものであれば、余計な残留物を海底に残さないことからより望ましい。
【００３８】
このための基盤２として、図５に示すように、腐食性の繊維による袋体１０に土砂１１等を充填したものが有効であり、かゝる構成の基盤２によれば、時を経て袋体１０が生分解して自然消滅し、土砂１１は海底の土砂と同化することから、エコロジーの面で好適であり、形状は特定されないが、例えば偏平のいわゆる座布団状に構成すればよく、必要に応じて基盤２に網状体１２を設けて、紐状体３に挿入した針金等の芯材４を基盤２に差し込み、かつ、抜け止めのために紐状体３を網状体１２に固縛すれば、エコロジーの面で好適な疑似藻場の造成基体１を得ることができる。また、図５の袋体にアマモの種子を収容し、発芽・生育させることもできる。こうすると、本物のアマモと疑似海草の併用により、本物のアマモが波などによる障害から疑似海草によって保護され、良好な生育を図ることができる。
【００３９】
尚、炭化天然繊維ａの表面改質に際して、その際に用いる無機微粒子ｄの平均粒子径は、それが有機金属化合物以外の酸化物、水酸化物等の場合、１０ｎｍ〜１０μｍが適しており、それらの無機微粒子ｄを水または有機溶媒に分散させた後、炭化天然繊維ａを浸漬し、常圧または減圧下で所定時間静置し、その後、乾燥させるものとする。
【００４０】
有機金属化合物の場合は、乾燥後の炭化天然繊維ａを空気中または水蒸気中に放置し、加水分解を進行させて表面改質するのであって、加水分解した有機金属化合物は、繊維表面にＳｉＯ2、Ａｌ2Ｏ3、ＴｉＯ2の形で存在する。
【００４１】
上記の各種無機微粒子ｄの繊維ａへの付着性を高めるために、アクリル等の樹脂やポリビニルアルコール等の糊剤などを添加してもよいのであり、また、浸漬による無機微粒子ｄの導入に代えて、無機微粒子ｄを分散させたスラリーを繊維表面に噴霧させる導入態様をとってもよいのであり、いずれにしても無機微粒子ｄの付着厚みは、その粒子径にもよるが、０．１μｍ〜１００μｍ程度であることが望ましい。
【００４２】
更には、炭化天然繊維ａによる紐状体３として、それの繊維表面に無機微粒子ｄを導入させるだけの表面改質であっても、有効微生物の集積能力が極めて優れたものになることから、カップリング剤ｅによる有機官能基の導入を省略してもよいのであり、かつ、表面改質を一切しない天然繊維の紐状体３を併用してもよいのである。
【００４３】
即ち、表面に無機微粒子ｄのみを導入した天然繊維ａと、カップリング剤ｅを結合させて有機官能基を導入した天然繊維ａとを、それぞれ単独で用いて紐状体３としたり、炭化天然繊維aとこれらを複合して紐状体３としたりし、更には、表面改質を一切しない天然繊維を併用して紐状体３としてもよいのである。
【００４４】
また、上記の各実施の形態では、海草の一種であるアマモに似せるように、紐状体３によって、アマモ場に疑似の藻場を形成するようにしているが、炭化天然繊維ａによる紐状体３として、これを例えばフラットヤーンのように幅広にして、疑似藻場の造成基体１を海底に沈設した状態で、この幅広の紐状体３を海藻の一種のワカメに似せるようにしてもよい。
【００４５】
更に、針金等の芯材４や支柱６などを省略して、紐状体３を直接的に基盤２に植設してもよく、その植設の形態は、例えば耐塩性の接着剤による接着や、腐食性の糸条による網状体への固縛などを選択できる。
【００４６】
上記の実施の形態の説明に際して、造成基体１の沈設対象を海底としたが、例えば養魚場などの池底を対象にしても、疑似藻場としての機能、即ち、幼稚魚の餌場や住処、更には、水質浄化の機能を発揮することに変わりはない。
【００４７】
【発明の効果】
以上説明したように、本発明による疑似藻場造成方法によれば、擬似藻場の造成基体を海底に沈設することで、海水中の微生物や幼稚魚、成魚の増殖にとって好適なアマモ場に疑似の藻場が直ちに形成されるのであり、勿論、養魚場などの池底に沈設しても、水中の微生物や幼稚魚などの増殖にとって好適な疑似藻場が直ちに形成されるのであって、本発明によれば、良好な漁場の早期造成に加えて、水質汚染の回復にも寄与し得る疑似藻場造成方法が提供される。
【図面の簡単な説明】
【図１】  疑似藻場の造成基体を海底に沈設した状態の説明図である。
【図２】  顕微鏡写真を図面化し、かつ、一部を取り出して拡大断面としたヤシ繊維表面の詳細図である。
【図３】  別の実施の形態による疑似藻場の造成基体を示す説明図である。
【図４】  網状体を用いた別の実施の形態による疑似藻場の造成基体を示す説明図である。
【図５】  エコロジー面で好適な基盤を用いた別の実施の形態疑似藻場の造成基体を示す説明図である。
【符号の説明】
２…基盤、３…紐状体、ａ…天然繊維、ｄ…無機微粒子、ｅ…カップリング剤、Ｔ…炭化層。
【図１】
0004766535.tif 000002
【図２】
0004766535.tif 000003
【図３】
0004766535.tif 000004
【図４】
0004766535.tif 000005
【図５】
0004766535.tif 000006